(57)【要約】      （修正有）【課題】安全に昇降動を繰り返すことができる新規な昇降式座椅子を提供する。【解決手段】座椅子部１０と、当該座椅子部１０を昇降する昇降部２０とを備え、前記昇降部２０の天板と底板の外縁部に沿ってそれぞれ可撓性の保護枠２６，２７を設けると共に、その保護枠２６，２７間を伸縮性の保護カバー２８で覆う。これによって、特に座椅子部１０を降下する際に天板と底板間に手足や指を挟んだりすることがなく、仮に挟んだとしても可撓性の保護枠２６，２７が適宜変形することで手足に怪我をするようなことはなく、安全に昇降動を繰り返すことができる。【選択図】図１
0003207103.tif 000002
【実用新案登録請求の範囲】
【請求項１】
座椅子部と、当該座椅子部を昇降する昇降部とを備え、
前記昇降部は、
前記座椅子部を支持する天板と、当該天板とほぼ同形状をした底板と、前記天板と底板間を上下に支持連結する一対のＸ軸状リンク機構と、このＸ軸状リンク機構をボールネジ機構を介して昇降動するモーターとを備え、
前記天板と底板の外縁部に沿って可撓性の保護枠をそれぞれ設けると共に、当該各保護枠間を伸縮性の保護カバーで覆ったことを特徴とする昇降式座椅子。
【請求項２】
請求項１に記載の昇降式座椅子において、
前記保護枠を、ゴムタイヤで構成したことを特徴とする昇降式座椅子。
【請求項３】
請求項１または２に記載の昇降式座椅子において、
前記保護カバーを、上下多段に折り畳み可能なアコーディオン式カーテンで構成したことを特徴とする昇降式座椅子。
【請求項４】
請求項３に記載の昇降式座椅子において、
前記アコーディオン式カーテンは、
筒状をした布体の内側又は外側に、前記保護枠とほぼ同じ形状をした環状のフレームを所定の間隔を隔てて上下多段に設けると共に、当該各フレーム間の布体にその周方向に沿って環状のゴム体を備えたことを特徴とする昇降式座椅子。
【請求項５】
請求項１乃至４のいずれかに記載の昇降式座椅子において、
前記底板の底部に回転テーブルを備えたことを特徴とする昇降式座椅子。
【請求項６】
請求項１乃至５のいずれかに記載の昇降式座椅子において、  
前記天板および底板が円形であることを特徴とする昇降式座椅子。
【考案の詳細な説明】
【技術分野】
【０００１】
本考案は、座面を自由に昇降できる昇降式座椅子に関するものである。
【背景技術】
【０００２】
従来から主に畳敷きの和室などで利用されている座椅子は、床面に近い位置に座面があることから立ち上がったり座ったりする際にひざや腰などにかかる負担が大きい。そのため、この座面の高さを調節（昇降）することで腰やひざの負担を軽減した椅子や座椅子などが従来から種々提案されている。
【０００３】
例えば、以下の特許文献１には、椅子本体の下面にパンタグラフからなる昇降機構を備え、この昇降機構によって椅子本体を昇降するようにした座椅子が開示されている。また、以下の特許文献２には、座部を設置した台盤とリンク設置台盤間を複数のＸ軸状のリンク機構で連結し、このリンク機構をモーターで駆動することで座部設置台盤を昇降させるような座高調整式椅子が開示されている。
【先行技術文献】
【特許文献】
【０００４】
【特許文献１】実開昭６０−３２９２２号公報
【特許文献２】特開２００５−２０５１１７号公報
【考案の概要】
【考案が解決しようとする課題】
【０００５】
ところで、特許文献１に示すような座椅子は使用者が立ち上がる際には使用者自身がレバーを回動させるなどして手動によって椅子本体を上昇させるようになっているため、その操作は容易でない。また、特許文献２に示すような座高調整式椅子では、モーターで座部設置台盤を昇降動させるため、比較的容易に昇降動できる。しかし、これを座椅子に応用した場合には、座ったり立ち上がる度に頻繁に昇降動作を繰り返すことになるが、その際にモータを駆動するスイッチ操作などを誤ると、特に降下する際にうっかり手足や物、あるいはペットなどを挟み込んでしまう可能性がある。
【０００６】
そこで、本考案の目的は、これらの課題を解決するために案出されたものであり、その目的は、安全に昇降動を繰り返すことができる新規な昇降式座椅子を提供することにある。
【課題を解決するための手段】
【０００７】
前記課題を解決するために第１の考案は、座椅子部と、当該座椅子部を昇降する昇降部とを備え、前記昇降部は、前記座椅子部を支持する天板と、当該天板とほぼ同形状をした底板と、前記天板と底板間を上下に支持連結する一対のＸ軸状リンク機構と、このＸ軸状リンク機構をボールネジ機構を介して昇降動するモーターとを備え、前記天板と底板の外縁部に沿ってそれぞれ可撓性の保護枠を設けると共に、当該上下の保護枠間を伸縮性の保護カバーで覆ったことを特徴とする昇降式座椅子である。
【０００８】
このように天板と底板の外縁部に沿ってそれぞれ可撓性の保護枠を設けると共に、これら上下の保護枠間を伸縮性の保護カバーで覆ったことにより、特に降下する際に天板と底板間に手足や指を挟んだりすることがない。また、仮に挟んだとしても可撓性の保護枠が適宜変形することで手足や指に怪我をするようなことはなく、安全に昇降動を繰り返すことができる。
【０００９】
第２の考案は、第１の考案において、前記保護枠を、ゴムタイヤで構成したことを特徴とする昇降式座椅子である。このような構成によれば、天板と底板間に仮に手足や指を挟んだとしても、このゴムタイヤが適宜撓んだり変形することで手足や指に怪我をするようなことはない。
【００１０】
第３の考案は、第１または第２の考案において、前記保護カバーを、上下に多段に折り畳み可能なアコーディオン式カーテンで構成したことを特徴とする昇降式座椅子である。このような構成によれば、天板と底板間の周囲を覆う保護カバーが天板の昇降に応じて上下に伸縮するため、降下時にその保護カバーが垂れ下がったりすることがなく、見栄えが良くなる。
【００１１】
第４の考案は、第３の考案において、前記アコーディオン式カーテンは、筒状をした布体の内側又は外側に、前記保護枠とほぼ同じ形状をしたリング状のフレームを所定の間隔を隔てて上下多段に設けると共に、当該各フレーム間の布体にその周方向に沿ってリング状のゴム体を備えたことを特徴とする昇降式座椅子である。このような構成によれば、アコーディオン式カーテンが座椅子部の昇降に応じて伸張したり、上下多段に折り畳まれたりする。
【００１２】
第５の考案は、第１乃至第４の考案において、前記底板の底部に回転テーブルを備えたことを特徴とする昇降式座椅子である。このような構成によれば、座椅子部が昇降部と共に左右に回転するため、座ったり立ち上がったりする際に最適な状態に座椅子部を位置させることができる。
【００１３】
第６の考案は、第１乃至第５の考案において、前記天板および底板が円形であることを特徴とする昇降式座椅子である。このような構成によれば、天板および底板に角がなくなるため、体の一部をぶつけたりすることがなくなると共に、座椅子部をスムーズに回転することができる。
【考案の効果】
【００１４】
本考案の昇降式座椅子は、天板と底板の外縁部に沿ってそれぞれ可撓性の保護枠を設けると共に、これら上下の保護枠間を伸縮性の保護カバーで覆ったことにより、特に降下する際に天板と底板間に手足や指を挟んだりすることがない。また、仮に挟んだとしても可撓性の保護枠が適宜変形することで手足や指に怪我をするようなことはなく、安全に昇降動を繰り返すことができる。
【図面の簡単な説明】
【００１５】
【図１】本考案に係る昇降式座椅子１００の実施の一形態を示す斜視図である。
【図２】本考案に係る昇降式座椅子１００の実施の一形態を示す平面図である。
【図３】本考案に係る昇降式座椅子１００の実施の一形態を示す側面図である。
【図４】本考案に係る昇降式座椅子１００の実施の一形態を示す正面図である。
【図５】図３中Ａ部を示す部分拡大図である。
【図６】保護カバー２８を構成するアコーディオン式カーテンの構造を示す縦断面図である。
【図７】（Ａ）は回転テーブル３０の構造を示す平面図、（Ｂ）は図（Ａ）中Ｓ−Ｓ線拡大断面図である。
【図８】本考案に係る昇降式座椅子１００の動作および作用を示す説明図である。
【考案を実施するための形態】
【００１６】
以下、本考案の実施の形態を添付図面を参照しながら説明する。図１は本考案に係る昇降式座椅子１００の実施の一形態を示したものである。図示するようにこの昇降式座椅子１００は、人が座るための座椅子部１０と、この座椅子部１０を昇降させる昇降部２０と、この昇降部２０を座椅子部１０と共に回転させる回転テーブル３０とから主に構成されている。
【００１７】
先ず、座椅子部１０は、略矩形状の座面板１１上に、人が着座するための座面部１２と、着座した人の腰部を支える背面部１３と、着座した人の両肘を支える肘掛け部１４，１４とから構成されている。なお、この座面板１１や座面部１２および背面部１３の形状は、これに限定されるものでなく、円形その他の形状であっても良く、また、肘掛け部１４，１４を省略した構成であっても良い。
【００１８】
一方、昇降部２０は、図２乃至図４に示すような構成をしている。ここで、図２は座椅子部１０を透視した昇降部２０の平面図、図３はその側面図、図４はその正面図である。図示するようにこの昇降部２０は、座椅子部１０を支持する円形の天板２１と、この天板２１とほぼ同じ大きさの円形の底板２２と、これら天板２１と底板２２間を上下に支持連結する一対のＸ軸状リンク機構２３、２３と、このＸ軸状リンク機構２３、２３をボールネジ機構２４を介して昇降動するモーター２５とから主に構成されている。
【００１９】
Ｘ軸状リンク機構２３は、一対のリンク部材２３ａ、２３ａから構成されており、そのリンク部材２３ａ、２３ａの中央部をＸ字状に回動自在にピン結合されている。このリンク部材２３ａ、２３ａの一端はそれぞれ天板２１および底板２２の端部に軸支されると共に、他端は回動輪２３ｂ、２３ｂを介してそれぞれ天板２１および底板２２に形成された上側レール２１ａ、２１ａ、下側レール２２ａ、２２ａに沿って走行自在に支持されている。
【００２０】
ボールネジ機構２４は、ジョイント２４ａを介してモーター２５の出力軸２５ａと同軸上に連結されるボールネジ２５ｂと、このボールネジ２５ｂに螺合するナット部材２５ｃとから主に構成されている。ボールネジ２５ｂはその両端が軸受２５ｄ、２５ｄによって底板２２上に軸支されており、モーター２５の出力軸２５ａの回転と同期して回転するようになっている。
【００２１】
ナット部材２５ｃは、このボールネジ２５ｂの回転に伴ってその軸方向に沿って往復動すると共に、これより左右に延びる連結軸２５ｅ、２５ｅを介して前記一対のＸ軸状リンク機構２３の一方のリンク部材２３ａ、２３ａの他端側に設けられた回動輪２３ｂ、２３ｂをそれぞれ軸支している。
【００２２】
モーター２５は、モータ本体とギヤヘッドを組み合わせたギヤドモータであり、ギヤヘッドのギヤ比によって任意の回転数を得られるようになっている。そして、家庭用電源（５０Ｈｚ、１００Ｖ）でモータを回転させ、その出力軸２５ａから回転数を落としてトルクを増幅させた回転力によってボールネジ２５ｂを回転駆動する。なお、図２に示すようにこのモーター２５にはこれを制御するためのリモコンＲが接続されており、リモコンＲによってその回転方向（上下動）や停止を任意にコントロールできるようなっている。
【００２３】
そして、例えばこのモーター２５を正方向に駆動すると、これと連動するボールネジ２５ｂが回転して、これに螺合しているナット部材２５ｃがボールネジ２５ｂに沿ってモーター２５方向へ移動する。すると、このナット部材２５ｃと回動輪２３ｂ、２３ｂを介して連結したリンク機構２３のリンク部材２３ａ、２３ａが立ち上がるように回動し、これによって座椅子部１０が上昇する。反対に、この位置からモーター２５を逆方向に駆動すると、これと連動するボールネジ２５ｂが回転してナット部材２５ｃがボールネジ２５ｂに沿ってモーター２５から離れる方向に移動する。すると、このナット部材２５ｃと回動輪２３ｂ、２３ｂを介して連結したリンク機構２３のリンク部材２３ａ、２３ａが寝るように回動し、これによって座椅子部１０が降下するようになっている。
【００２４】
また、この昇降部２０を構成する天板２１と底板２２には、その外縁部に沿ってそれぞれ可撓性の保護枠２６，２７が設けられている。この保護枠２６，２７は、図５に示すように内周側が開いた断面Ｃ字形のリング状のゴム体、例えば自転車のゴムタイヤから構成されており、天板２１（および底板２２）の外側にこれより突出して設けられた枠体２６ａ上に被せるようにして取り付けられている。なお、この保護枠２６，２７はゴムタイヤの他に同じ形状をしたウレタンフォームのような緩衝材で構成しても良い。
【００２５】
さらに、この上下の保護枠２６，２７間はその内部を覆い隠すように伸縮性の保護カバー２８で覆われている。この保護カバー２８は、例えば図６に示すような筒状をした上下方向に伸縮自在なアコーディオン式カーテン２８で構成されている。このアコーディオン式カーテン２８は、例えば筒状に縫い込まれた布体２８ａの内側にリング状をしたフレーム、例えば針金枠２８ｂを複数上下多段に縫い込むと共に、各針金枠２８ｂ、２８ｂにそれぞれゴムリング２８ｃを縫い込んだ構造となっている。従って同図（Ｂ）に示すように布体２８ａを上下に伸縮するに伴って布体２８ａがアコーディオン式に交互に折り畳まれたり、同図（Ａ）に示すように伸張できるようになっている。
【００２６】
回転テーブル３０は、図７に示すようにそれぞれ円形をしたお盆状の回転板３０ａ、３０ｂを互いに向き合うように上下に重ね合わせると共に、その内側の外周部に形成された環状のレール３２ｄ、３０ｄに沿ってボール体３０ｃを複数を環状に配置したものである。そして、このボール体３０ｃが転動することで床面に設置する下部回転板３０ａに対して上部回転板３０ｂが左右任意の方向にスムーズに回転するようになっている。そして、この上部回転板３０ｂ上に、前記昇降部２０の底板２２が載置するように取り付けられている。
【００２７】
このような構成をした本考案の昇降式座椅子１００は、図８（Ａ）および（Ｂ）に示すようにその座椅子部１０に着座した人などのリモコンＲの操作によってその座椅子部１０を任意の高さに昇降操作することができる。これによって、通常時、例えばコタツなどに入っている場合には同図（Ｂ）に示すように座椅子部１０を最下部まで下げた状態で利用するが、立ち上がる際には、同図（Ａ）に示すようにそのまま座椅子部１０を上昇させて通常の椅子状にすることにより、ひざや腰などに負担をかけることなく容易に立ち上がることができる。
【００２８】
また、座る際には、同図（Ａ）に示すように座椅子部１０を上昇させて通常の椅子状にしてからその座椅子部１０に座り、そのままの状態で同図（Ｂ）に示すように座椅子部１０を最下部まで降下させれば、同じく膝や腰などに負担をかけることなく容易に着座することができる。
【００２９】
さらに、本考案の昇降式座椅子１００は回転テーブル３０を備えていることから、同図（Ｃ）および（Ｄ）に示すように座椅子部１０を任意の方向に任意の角度で回転することができる。従って、例えばコタツから立ち上がる際には、同図（Ｂ）に示すようにコタツ（図示せず）方向から同図（Ｃ）に示すようにそのまま座椅子部１０を左方向に約９０°旋回させた後、同図（Ｄ）に示すように座椅子部１０を上昇させることで容易にコタツから出て立ち上がることができる。なお、コタツに入るときはこれとは反対の操作を行うことでひざや腰に負担をかけることなく容易に座ることができる。
【００３０】
また、座ったままの状態で簡単に任意の方向に座椅子部１０を旋回させることが可能となるため、座ったままで各種の作業を行う際にもその方向転換が極めて容易にできる。また、天板２１および底板２２が円形であることから、昇降部２０に角がなくなるため、昇降部２０に体の一部をぶつけることがなくなると共に、座椅子部１０をスムーズに回転することができる。
【００３１】
また、本考案の昇降式座椅子１００は、昇降部２０を構成する天板２１と底板２２の外縁部に沿ってそれぞれ可撓性の保護枠２６，２７を設けたため、例えば座椅子部１０の降下時に天板２１と底板２２間に手足や物が位置していてもこの保護枠２６，２７が緩衝材（クッション）として機能するため、天板２１と底板２２間に手足や指を挟んで怪我を招くことはない。さらに、この昇降式座椅子１００に手足や体の一部をぶつけたとしてもその周囲が保護枠２６，２７によって覆われているため、同じく怪我をすることはない。
【００３２】
さらに、本考案の昇降式座椅子１００は、これら上下の保護枠２６，２７間を伸縮性のアコーディオン式カーテンからなる保護カバー２８で覆ったことにより、天板２１と底板２２間に手足や物、ペットなどが入り込むことがなくなり、その間にそれらを挟み込んだりすることがない。また、仮に挟んだとしても可撓性の保護枠２６，２７が適宜変形することで怪我に至るようなことはなく、安全に昇降動を繰り返すことができる。また、その保護カバー２８をアコーディオン式カーテンにすることにより降下時にそのカバーが垂れ下がったりすることがなく、見栄えが良くなる。
【符号の説明】
【００３３】
１００…昇降式座椅子
１０…座椅子部
２０…昇降部
２１…天板
２２…底板
２３…Ｘ軸状リンク機構
２４…ボールネジ機構
２５…モーター
２６，２７…保護枠（ゴムタイヤ）
２８…保護カバー（アコーディオン式カーテン）
２８ａ…布体
２８ｂ…フレーム（針金枠）
２８ｃ…ゴムリング
３０…回転テーブル
【図１】
0003207103.tif 000003
【図２】
0003207103.tif 000004
【図３】
0003207103.tif 000005
【図４】
0003207103.tif 000006
【図５】
0003207103.tif 000007
【図６】
0003207103.tif 000008
【図７】
0003207103.tif 000009
【図８】
0003207103.tif 000010